(57)【要約】【課題】都市の土木工事などの現場で広く使用されている通常のショベルマシンに、バケット作業とクレーン作業とを切換えて行うことが出来、且つ簡単な構成で、価格が安く、ショベルマシンの能力を損なうことなく、クレーンとしての機能を付加することの出来る、ショベルマシン用アタッチメントの実現が要望されている。【解決手段】本発明は、ショベルマシンのアームのブラケットピンとピン連結可能なブラケットと間に保持されているウインチモータとブラケットの間に固定されている動滑車部のストッパーとからなる昇降部、ホルダに取着された吊り荷用フックとから成る動滑車を具備し、吊り荷用フックを昇降させてウインチ作業を行い、ウインチ作業が終了するとワイヤを巻込むことにより吊り荷用フックをブラケットの間に収容するようにしたショベルマシン用ウインチアタッチメントを実現することにより問題を解決したものである。【選択図】              図２
2004331313.tif 000002
【特許請求の範囲】
【請求項１】
ショベルマシンのアームのブラケットピンとピン連結可能なピン挿入孔を持った一対のブラケット、該一対のブラケットの間に保持されているウインチモータと、前記一対のブラケットの間に固定されている吊り荷用フックのストッパーとからなる昇降部と、
吊り荷用フックと、
その一端が吊り荷用フックとに固定され、他端がウインチモータに巻き込まれているワイヤと、
を具備し、昇降部のウインチモータによりワイヤの巻込み又は巻出しを行うことによって吊り荷用フックを昇降させてウインチ作業を行い、ウインチ作業が終了すると昇降部のウインチモータによりワイヤを巻込むことにより吊り荷用フックをストッパーの位置まで引き上げて吊り荷用フックを昇降部のブラケットの間に収容するようにしたことを特徴とするショベルマシン用ウインチアタッチメント。
【請求項２】
ショベルマシンのアームのブラケットピンとピン連結可能なピン挿入孔を持った一対のブラケット、該一対のブラケットの間に、保持されているウインチモータ、前記一対のブラケットの間に固定されている動滑車部のストッパーとからなる昇降部と、
滑車、該滑車を回転自在に保持するホルダ、該ホルダに取着された吊り荷用フックとから成る動滑車部と、
その一端が昇降部に固定され、動滑車部の滑車に巻き掛けられた後、他端がウインチモータに巻き込まれているワイヤと、
を具備し、昇降部のウインチモータによりワイヤの巻込み又は巻出しを行うことによって動滑車部の吊り荷用フックを昇降させてウインチ作業を行い、ウインチ作業が終了すると昇降部のウインチモータによりワイヤを巻込むことにより動滑車部をストッパーの位置まで引き上げて動滑車部を昇降部のブラケットの間に収容するようにしたことを特徴とするショベルマシン用ウインチアタッチメント。
【請求項３】
ショベルマシンのアームのブラケットピンとピン連結可能なピン挿入孔を持った一対のブラケット、該一対のブラケットの間に、保持されているウインチモータ、前記一対のブラケットの間のウインチモータの下部に回転自在に固定されている定滑車、前記一対のブラケットの間の定滑車の下部のワイヤの内側に固定されている動滑車部のストッパーとからなる昇降部と、
滑車、該滑車を回転自在に保持するホルダ、該ホルダに取着された吊り荷用フックとから成る動滑車部と、
その一端が昇降部に固定され、昇降部の定滑車に巻き掛けられてから、動滑車部の滑車に巻き掛けられた後、他端がウインチモータに巻き込まれているワイヤと、を具備し、昇降部のウインチモータによりワイヤの巻込み又は巻出しを行うことによって動滑車部の吊り荷用フックを昇降させてウインチ作業を行い、ウインチ作業が終了すると昇降部のウインチモータによりワイヤを巻込むことにより動滑車部をストッパーの位置まで引き上げて動滑車部を昇降部のブラケットの間に収容するようにしたことを特徴とするショベルマシン用ウインチアタッチメント。
【発明の詳細な説明】
【０００１】
【発明の属する技術分野】
本発明は、ショベルマシンのショベルに代えて、ウインチ機能を持ったタッチメントを装着することにより、ショベルマシンをクレーンとして使用可能にするショベルマシン用ウインチアタッチメントに関する。
本発明のショベルマシン用ウインチアタッチメントは、ショベルマシンの本体に手を加えることなく、タッチメントを装着だけで、ショベルマシンに本格的なクレーン機能を付加することが出来るようにしてショベルマシンの能力を拡張したものである。
【０００２】
【従来の技術】
上下水道工事の管埋設作業や、一般土木工事の資材の搬入、据付け作業では、掘削作業と共に、資材の吊上下し作業が行われている。この場合に通常は、ショベルマシンで掘削作業を行い、クレーンで資材の吊上げ、吊下し作業を行うため、ショベルマシンとクレーンの２種類の作業機を準備する必要があり、コスト高になるという問題がある。また、２種類の作業機の待機場所を確保する必要があるため、スペースが限られた工事現場では、作業に支障を来す場合もある。さらに、作業を掘削作業からクレーン作業へ変更する場合、又はクレーン作業から掘削作業へ変更する場合には、作業機を移動させる必要があるため、時間を要することになり、作業効率が低下することになる。
【０００３】
このような問題を解消するために、図５に示すように、ショベルマシン６０のショベル６２にフック６３を付けてこのフックに重量物の吊り荷をつり下げてクレーン作業を行うアームクレーンが土木工事等で広く使用されている。
このアームクレーンは、ショベルマシンのアームの移動により物体の揚げ下げを行っているために、吊り荷用フックの前後方向の移動はブーム及びアームの揺動によって行われるが吊り荷を垂直に上げ下げすることが出来ず、アームの状態により揚力も変化し、あまり前方下方側に揺動させてしまうと、吊り荷用フックの位置が低くなりすぎてクレーンとして機能し得なくなるため、上下方向の範囲は制限されてしまう。また、ブームとアームの揺動のみで吊り荷を上下方向に移動させるため、動きがスムーズでなく、特に一定の高さで保持した状態で前後方向に移動させることは困難であり、クレーンとしてはその機能が不十分なものであった。
【０００４】
アームクレーンの不十分な機能を補強するために、クレーン機能を持たせたエクステンションアーム等が提案されている。このエクステンションアームは、アームを固定側アーム部と摺動側アーム部とに分割し、ショベルマシンのアームを現場に合わせて伸縮可能にして、吊り荷用フックを備えた昇降ユニットを、摺動側アーム部の先端部に取付けクレーン機能を実現し、クレーン作業を行わない時にはブームに備えられた収納用ブラケットに昇降ユニット等のけクレーン機能部材を収納するようにしたものである。（特開平１１−３１５５４９）
このようなクレーン機能を持たせたたショベルマシンは、クレーンとしての機能は満足させるが、ショベルマシンの構成が複雑になり、その価格が高くなるだけでなく、クレーン作業を行わない時にも、常にクレーン機能部材がブームに収納されているためにその分重量も増大するため、重量バランスを考慮して油圧ショベル本体の重量も大きくする必要があり、作業機が大型化し、その価格が非常に高くなるという問題がある。
【０００５】
【発明が解決しようとする課題】
このため、都市の土木工事などの現場で広く使用されている通常のショベルマシンに、バケット作業とクレーン作業とを切換えて行うことが出来、且つ簡単な構成で、価格が安く、ショベルマシンの能力を損なうことなく、クレーンとしての機能を付加することの出来る、ショベルマシン用アタッチメントの実現が要望されている。
【０００６】
【課題を解決するための手段】
本発明は、ショベルマシンのアーム連結孔に挿入されたブラケットピンとピン連結可能なピン挿入孔を持った一対のブラケットと，一対のブラケットの間に保持されているウインチモータと，一対のブラケットの間に固定されている動滑車部のストッパーとからなる昇降部、滑車を回転自在に保持するホルダと，ホルダに取着された吊り荷用フックとから成る動滑車部、その一端が昇降部に固定され動滑車部の滑車に巻き掛けられた後に他端がウインチモータに巻き込まれているワイヤを具備し、昇降部のウインチモータによりワイヤの巻込み又は巻出しを行うことによって動滑車部の吊り荷用フックを昇降させてウインチ作業を行い、ウインチ作業が終了すると昇降部のウインチモータによりワイヤを巻込むことにより動滑車部をストッパーの位置まで引き上げて動滑車部を昇降部のブラケットの間に収容するようにしたショベルマシン用ウインチアタッチメントを実現することにより問題を解決したものである。
【０００７】
【発明の実施の形態】
【実施例】
図１は、本発明のショベルマシン用ウインチアタッチメントの概観を示した斜視図である。図２は本発明のショベルマシン用ウインチアタッチメント一実施例の構成を示す図で、（ａ）はその側面図を示し、（ｂ）はその断面図を示したものである。
図１及び図２において、１は、ショベルマシン用ウインチアタッチメントの昇降部を示す。昇降部１において、１１，１２は昇降部のブラケットである。２０はウインチモータである。ウインチモータ２０は、ワイャードラム２１とこれを駆動する油圧モータ２２と減速機構とメカニカルブレーキ（図示せず）がワイャードラム２１の内側に一体に組み込まれている。
３１，３２，３３，３４はブラケット１１，１２を保持するブラケット保持梁である。
ブラケット１１，１２の上部には、ショベルマシンのアームのブラケットピンとピン連結して固着されるブラケットピン挿入孔１３，１４が開けられている。
４０は動滑車部のストッパーである。
【０００８】
ブラケット１１，１２はブラケット保持梁３１，３２，３３，３４により対向して保持されその間に、ウインチモータ２０が固定保持されている。
動滑車部のストッパー４０は、ブラケット１１，１２の間の、ウインチモータ２０の下部に固定されている。
２は動滑車部である。動滑車部２において、２ａは滑車、２ｂは滑車２ａを回転自在に保持するホルダ、２ｃはホルダ２ｂに取着された吊り荷用フックである。
３はウインチのワイヤである。
ワイヤ３の一方端部側は、動滑車部２の滑車２ａに巻き掛けられた後、ブラケット１１，１２の間に固定されている。また、ワイヤ３の他方端部側は、ウインチモータ２０のドラム２１に巻き込まれている。
図１，２に示したショベルマシン用ウインチアタッチメントでは、ウインチモータ２０を制御してワイヤ３の巻込み又は巻出しを行うことによって動滑車部２、即ち吊り荷用フック２ｃが上昇又は下降させてウインチ作業を行う。ウインチ作業が終了するとウインチモータ２０によりワイヤ３を巻込むことにより動滑車部２をストッパー４０の位置まで引き上げて動滑車部を昇降部のブラケットの間に収容する。
【０００９】
図３は本発明のショベルマシン用ウインチアタッチメントの他の実施例の構成を示す図で、（ａ）はその側面図を示し、（ｂ）はその断面図を示したものである。図３の実施例は、ショベルマシン用ウインチアタッチメントの昇降部に定滑車を設け、動滑車と定滑車とをワイヤで連結したいわゆる２連滑車構造としたものである。
図３の実施例において、図１及び図２と同一の部分には同一の符合を付けてその説明を省略する。
図３において、５０は定滑車である。定滑車５０は、滑車５０を回転自在に保持するホルダ５１を介してブラケット１１，１２の間の、ウインチモータ２０の下部に回転自在に固定されている。
動滑車部のストッパー４０は、ブラケット１１，１２の間の、定滑車５０の下部のワイヤ３の内側に固定されている。
ワイヤ３の一方端部側は、定滑車５０に巻き掛けられてから、動滑車部２の滑車２ａに巻き掛けられた後、その一方端部が定滑車５０のホルダ５１に固定される。また、ワイヤ３の他方端部側は、ウインチモータ２０のドラム２１に巻き込まれている。
【００１０】
図３に示したショベルマシン用ウインチアタッチメントも、図１，２に示したショベルマシン用ウインチアタッチメントと同様に、ウインチモータ２０を制御してワイヤ３の巻込み又は巻出しを行うことによって動滑車部２、即ち吊り荷用フック２ｃが上昇又は下降させてウインチ作業を行う。ウインチ作業が終了するとウインチモータ２０によりワイヤ３を巻込むことにより動滑車部２をストッパー４０の位置まで引き上げて動滑車部を昇降部のブラケットの間に収容する。
本発明のショベルマシン用ウインチアタッチメントは、クレーン機能を実現するために、図４に示すように、ショベルマシン６０のアーム部６１の先端にショベルマシンのショベルに代えて取り付けられる。
本発明のショベルマシン用ウインチアタッチメントの取り付は、昇降部１のブラケット１１，１２に形成されている係合孔１３，１４を、ショベルマシン６０のアーム部６１の先端部に設けられた取付け用ブラケットピンＰに係合して挿入することによって、ショベルマシン用ウインチアタッチメントがショベルマシン６０のアーム部６１に吊り下げられる。これによりショベルマシンにクレーン機能が付加される。
【００１１】
ショベルマシン用ウインチアタッチメントの昇降部１はブラケット１１，１２に形成されている一対の係合孔１３，１４にショベルマシン６０のアーム部６１のブラケットピンに挿入した一点支持であるので、ウインチアタッチメントの昇降部１は、ショベルマシン６０のアーム部６１がどのような角度に保持されていても常に垂直に吊り下げられるので安定したクレーン作業を行うことが出来る。
クレーンを行うときは、ウインチモータ２０を制御してワイヤ３の巻込み又は巻出しを行うことによって動滑車部２、即ち吊り荷用フック２ｃが上昇又は下降する。ウインチモータ２０の制御は、ショベルマシンのコックピット内の操作レバーを用いて行われる。
クレーン作業を行うときには、ウインチモータ２０だけでなく、ショベルマシンのアーム部６１を駆動し、必要に応じて上部旋回体による旋回及び下部走行機構による走行が行われることはもちろんである。
【００１２】
また、クレーン作業における最大地上揚程は、図４において、ショベルマシンのアーム部６１を上方に最大限揺動させた状態での吊り荷用フック２ｃから地面までの距離となる。従って、従来のアームクレーンのようにショベルマシンのアーム部だけを動かしてクレーン作業を行う場合に比べて、ショベルマシンの大型化及び重量の増大をせずに、最大地上揚程を大きくすることができる。
さらに、吊り荷用フック２ｃの前後方向の移動範囲は、ショベルマシンのアーム部６１の揺動による移動長さになるので、従来のアームクレーンよりも拡大することができる。また、ショベルマシンのアーム部６１を固定した状態で吊り荷用フック２ｃを垂直方向に直線的に移動させることができるので、吊り荷用フック２ｃをスムーズに、かつ広範囲に移動させることができるようになり、クレーン作業の作業性が向上する。
クレーン作業が終了すると、ウインチモータ２０により、ワイヤ３を巻込むことによって動滑車部２が昇降部１のストッパー４０に当たる位置まで引き込むことにより荷用フック２ｃの動滑車部２は、昇降部１のブラケット１１，１２の間に収納される。
動滑車部２が昇降部１のブラケット１１，１２の間に収納されたショベルマシン用ウインチアタッチメントは、ショベルマシン６０のアーム部６１から取り外され、代わりにショベル６２を装着することにより本来のショベルマシンに復帰する。
【００１３】
以上のように本発明のショベルマシン用ウインチアタッチメントは、１台のショベルマシンでバケット作業とクレーン作業とを切換えて行うことができる。クレーン作業に用いるショベルマシン用ウインチアタッチメントは、バケット作業を行うときは取り外されるので、邪魔にならず、クレーン作業を行うときはショベルマシンのショベルに代えて、ショベルマシン用ウインチアタッチメントをアーム部６１の先端に取り付けるだけでよい。
そして、ショベルマシン用ウインチアタッチメント取付けは、昇降部１のブラケット１１，１２に形成されている係合孔１３，１４に、ショベルマシン６０のアーム部６１のに設けられた取付け用ブラケットピンＰに係合して挿入するという簡単な手作業で行うことができるので、バケット作業とクレーン作業の切換を迅速に行うことが出来、作業効率が向上する。
尚、上記の各実施の説明においては、動滑車部２の構成が、滑車２ａと滑車２ａを回転自在に保持するホルダ２ｂとホルダ２ｂに取着された吊り荷用フック２ｃを備えたものを使用した例について説明したが、吊り荷の重量があまり重くないものに使用するような場合には、ウインチのワイヤ３の先端に直接吊り荷用フック２ｃを直接取り付けるようにして、動滑車部２の構成を簡略化することも可能である。
【００１４】
【発明の効果】
以上の説明より明らかなように、本発明のショベルマシン用ウインチアタッチメントは、ショベルマシンのアーム連結孔に挿入されたブラケットピンとピン連結可能なピン挿入孔を持った一対のブラケット，一対のブラケットの間に保持されているウインチモータ，一対のブラケットの間の定滑車の下部のワイヤの内側に固定されている動滑車部のストッパーとからなる昇降部と、滑車を回転自在に保持するホルダ，ホルダに取着された吊り荷用フックとから成る動滑車部と、その一端が昇降部に固定され動滑車部の滑車に巻き掛けられた後，他端がウインチに巻き込まれているワイヤとを具備し、昇降部のウインチモータによりワイヤの巻込み又は巻出しを行うことによって動滑車部の吊り荷用フックを昇降させてウインチ作業を行い、ウインチ作業が終了すると昇降部のウインチモータによりワイヤを巻込むことにより動滑車部をストッパーの位置まで引き上げて動滑車部を昇降ユニットのブラケットの間に収容するようにしたものである。
このため、本発明のショベルマシン用ウインチアタッチメントは土木工事などの現場で広く使用されている通常のショベルマシンに、バケット作業とクレーン作業とを切換えて行うことが可能になり、簡単な構成で、価格が安く、ショベルマシンの能力を損なうことなく、クレーンとしての機能を付加することの出来、土木工事などの作業効率を大幅に向上させることが出来る。
【図面の簡単な説明】
【図１】本発明のショベルマシン用ウインチアタッチメントの概観を示した斜視図である。
【図２】本発明のショベルマシン用ウインチアタッチメント一実施例の構成を示す図で、（ａ）はその側面図を示し、（ｂ）はその断面図を示したものである。
【図３】本発明のショベルマシン用ウインチアタッチメントの他の実施例の構成を示す図で、（ａ）はその側面図を示し、（ｂ）はその断面図を示したものである。
【図４】本発明のショベルマシン用ウインチアタッチメントを、ショベルマシンのアーム部の先端に取り付けクレーン機能を実現した状態を示したものである。
【図５】従来の、ショベルマシンのショベルにフックを付けてクレーン作業を行うアームクレーンの説明図である。
【符号の説明】
１・・・ショベルマシン用ウインチアタッチメントの昇降部，
１１，１２・・・昇降部のブラケット，
１３，１４・・・ブラケット１１，１２のブラケットピン挿入孔，
２０・・・ウインチモータ，
２１・・・ウインチモータのワイャードラム，
２２・・・ウインチモータの油圧モータ，
３１，３２，３３，３４・・・ブラケットを保持するブラケット保持梁，
４０・・・ストッパー，
２・・・動滑車部，
２ａ・・・滑車，
２ｂ・・・滑車を回転自在に保持するホルダ，
２ｃ・・・ホルダに取着された吊り荷用フック，
３・・・ウインチのワイヤ，
５０・・・定滑車，
５１・・・滑車５０を回転自在に保持するホルダ５１，
６０・・・ショベルマシン，
６１・・・ショベルマシンのアーム部，
６２・・・ショベルマシンのショベル，
６３・・・ショベルに付けられたフック，
Ｐ・・・ショベルマシンのアーム部６１のブラケットピン，
【図１】
2004331313.tif 000003
【図２】
2004331313.tif 000004
【図３】
2004331313.tif 000005
【図４】
2004331313.tif 000006
【図５】
2004331313.tif 000007